(57)【要約】電力値取得部（１０１）は、Ｌ１相から供給されている電力の合計値である第１電力値と、Ｌ２相から供給されている電力の合計値である第２電力値と、を取得する。制御部（１０３）は、第１電力値が第１閾値未満である場合、第１機器の消費電力の値が、第１機器の余力電力のうちＬ２相から供給されることが明確でない余力電力の値と第１電力値との合計値である第１合計値を第１閾値よりも小さい第２閾値以下にする消費電力の上限の値を超えないように第１機器を制御する。制御部（１０３）は、第２電力値が第１閾値未満である場合、第１機器の消費電力の値が、第１機器の余力電力のうちＬ１相から供給されることが明確でない余力電力の値と第２電力値との合計値である第２合計値を第２閾値以下にする消費電力の上限の値を超えないように第１機器を制御する。
2016147411.tif 000002
【特許請求の範囲】
【請求項１】
Ｌ１相から、現在の消費電力から消費電力の上限までの余力電力の値が取得される第１機器を含む複数の電気機器に供給されている電力の合計値である第１電力値と、Ｌ２相から前記複数の電気機器に供給されている電力の合計値である第２電力値と、を取得する電力値取得部と、
前記電力値取得部により取得された第１電力値が第１閾値未満である場合、前記第１機器の消費電力の値が、前記第１機器の余力電力のうち前記Ｌ２相から供給されることが明確でない余力電力の値と前記第１電力値との合計値である第１合計値を前記第１閾値よりも小さい第２閾値以下にする消費電力の上限の値を超えないように前記第１機器を制御し、前記電力値取得部により取得された第２電力値が前記第１閾値未満である場合、前記第１機器の消費電力の値が、前記第１機器の余力電力のうち前記Ｌ１相から供給されることが明確でない余力電力の値と前記第２電力値との合計値である第２合計値を前記第２閾値以下にする消費電力の上限の値を超えないように前記第１機器を制御する制御部と、を備える、
制御装置。
【請求項２】
前記制御部は、前記第１機器の消費電力が変化するように前記第１機器を制御し、
前記制御部により前記第１機器が制御されたことに応答して前記電力値取得部により取得される第１電力値が変化した場合、前記第１機器の余力電力が前記Ｌ１相から供給されると判別し、前記制御部により前記第１機器が制御されたことに応答して前記電力値取得部により取得される第２電力値が変化した場合、前記第１機器の余力電力が前記Ｌ２相から供給されると判別する相判別部を更に備える、
請求項１に記載の制御装置。
【請求項３】
前記制御部は、余力電力が同一の相から供給される複数の第１機器の消費電力の上限の値を設定する場合、消費電力の最大定格値に対する消費電力の上限の値の割合が同じになるように、前記複数の第１機器の消費電力の上限の値を設定する上限値設定部を備える、
請求項１又は２に記載の制御装置。
【請求項４】
前記制御部は、前記電力値取得部により取得された第１電力値が前記第１閾値未満であり、前記第１機器である第２機器の余力電力が前記Ｌ２相のみから供給されると判別されない場合、前記第２機器でない第１機器のうち余力電力が前記Ｌ２相のみから供給されると判別されない第１機器の消費電力の上限の値を設定し、前記第１合計値が前記第２閾値以下にならない場合、前記第２機器の消費電力の上限の値を更に設定し、前記電力値取得部により取得された第２電力値が前記第１閾値未満であり、前記第２機器の余力電力が前記Ｌ１相のみから供給されると判別されない場合、前記第２機器でない第１機器のうち余力電力が前記Ｌ１相のみから供給されると判別されない第１機器の消費電力の上限の値を設定し、前記第２合計値が前記第２閾値以下にならない場合、前記第２機器の消費電力の上限の値を更に設定する上限値設定部を備える、
請求項１又は２に記載の制御装置。
【請求項５】
前記第１機器である第２機器が起動中であることを示す起動中信号を受信する受信部を更に備え、
前記制御部は、前記電力値取得部により取得された第１電力値が前記第１閾値未満であり、前記第２機器の余力電力が前記Ｌ２相のみから供給されると判別されず、前記受信部により前記起動中信号が受信された場合、前記第２機器の消費電力の上限の値として消費電力の上限の最大値を設定し、前記第１合計値が前記第２閾値以下になるように、前記第２機器でない第１機器のうち余力電力が前記Ｌ２相のみから供給されると判別されない第１機器の消費電力の上限の値を設定し、前記電力値取得部により取得された第２電力値が前記第１閾値未満であり、前記第２機器の余力電力が前記Ｌ１相のみから供給されると判別されず、前記受信部により前記起動中信号が受信された場合、前記第２機器の消費電力の上限の値として消費電力の上限の最大値を設定し、前記第２合計値が前記第２閾値以下になるように、前記第２機器でない第１機器のうち余力電力が前記Ｌ１相のみから供給されると判別されない第１機器の消費電力の上限の値を設定する上限値設定部を備える、
請求項１又は２に記載の制御装置。
【請求項６】
前記制御部は、前記電力値取得部により取得された第１電力値が前記第１閾値以上である場合、前記複数の電気機器のうち余力電力が前記Ｌ２相のみから供給されると判別されない全ての電気機器の消費電力の上限の値として消費電力の上限の最小値を設定し、前記電力値取得部により取得された第２電力値が前記第１閾値以上である場合、前記複数の電気機器のうち余力電力が前記Ｌ１相のみから供給されると判別されない全ての電気機器の消費電力の上限の値として消費電力の上限の最小値を設定する上限値設定部を備える、
請求項１から５のいずれか１項に記載の制御装置。
【請求項７】
Ｌ１相から、現在の消費電力から消費電力の上限までの余力電力の値が取得される第１機器を含む複数の電気機器に供給されている電力の合計値である第１電力値と、Ｌ２相から前記複数の電気機器に供給されている電力の合計値である第２電力値と、を計測する電力値計測ステップと、
前記電力値計測ステップで計測された第１電力値が第１閾値未満である場合、前記第１機器の消費電力の値が、前記第１機器の余力電力のうち前記Ｌ２相から供給されることが明確でない余力電力の値と前記第１電力値との合計値である第１合計値を前記第１閾値よりも小さい第２閾値以下にする消費電力の上限の値を超えないように前記第１機器を制御し、前記電力値計測ステップで計測された第２電力値が前記第１閾値未満である場合、前記第１機器の消費電力の値が、前記第１機器の余力電力のうち前記Ｌ１相から供給されることが明確でない余力電力の値と前記第２電力値との合計値である第２合計値を前記第２閾値以下にする消費電力の上限の値を超えないように前記第１機器を制御する制御ステップと、を備える、
制御方法。
【請求項８】
コンピュータを、
Ｌ１相から、現在の消費電力から消費電力の上限までの余力電力の値が取得される第１機器を含む複数の電気機器に供給されている電力の合計値である第１電力値と、Ｌ２相から前記複数の電気機器に供給されている電力の合計値である第２電力値と、を取得する電力値取得部、
前記電力値取得部により取得された第１電力値が第１閾値未満である場合、前記第１機器の消費電力の値が、前記第１機器の余力電力のうち前記Ｌ２相から供給されることが明確でない余力電力の値と前記第１電力値との合計値である第１合計値を前記第１閾値よりも小さい第２閾値以下にする消費電力の上限の値を超えないように前記第１機器を制御し、前記電力値取得部により取得された第２電力値が前記第１閾値未満である場合、前記第１機器の消費電力の値が、前記第１機器の余力電力のうち前記Ｌ１相から供給されることが明確でない余力電力の値と前記第２電力値との合計値である第２合計値を前記第２閾値以下にする消費電力の上限の値を超えないように前記第１機器を制御する制御部、として機能させる、
プログラム。
【発明の詳細な説明】
【技術分野】
【０００１】
本発明は、電気機器を制御する制御装置、制御方法、及び、プログラムに関する。
【背景技術】
【０００２】
宅内等で用いられる電気機器は、ブレーカを介して商用電源から電力の供給を受けることが一般的である。このブレーカは、電気機器に供給される電力の合計値が予め定められた閾値を超えると、電力の供給を遮断する。ブレーカにより電力の供給が遮断されると、電気機器の稼働が停止してしまい、不都合が生じることが多い。このため、ブレーカを介して電気機器に供給される電力の合計値が閾値を超えないように電気機器を制御する種々の技術が知られている。【０００３】
例えば、特許文献１には、各電気機器の総消費電力を算出する総消費電力算出部と、総消費電力が許容消費電力を超える場合に各電気機器の動作状態を変更する指示を発する協調動作制御部と、を備える電力管理装置が開示されている。ここで、許容消費電力は、家屋全体の消費電力の目標として設定される。
【先行技術文献】
【特許文献】
【０００４】
【特許文献１】特開２０１４−３６４６６号公報
【発明の概要】
【発明が解決しようとする課題】
【０００５】
しかしながら、特許文献１に開示された電力管理装置は、家屋全体の消費電力を管理する装置であり、単相三線式の電源系統におけるＬ１相とＬ２相との相毎に消費電力を管理する装置ではなかった。このため、特許文献１に開示された電力管理装置は、例えば、供給可能な電力の閾値が相毎に定められている電源系統に適用した場合、家屋全体の消費電力が相毎に設定された閾値を超えないように管理することになり、消費電力を抑制し過ぎることになる。従って、相毎に消費電力を管理するなどして、電気機器の消費電力を効率的に抑制する技術が望まれている。【０００６】
本発明は、電気機器の消費電力を効率的に抑制する制御装置、制御方法、及び、プログラムを提供することを目的とする。
【課題を解決するための手段】
【０００７】
上記目的を達成するために、本発明に係る制御装置は、
Ｌ１相から、現在の消費電力から消費電力の上限までの余力電力の値が取得される第１機器を含む複数の電気機器に供給されている電力の合計値である第１電力値と、Ｌ２相から前記複数の電気機器に供給されている電力の合計値である第２電力値と、を取得する電力値取得部と、
前記電力値取得部により取得された第１電力値が第１閾値未満である場合、前記第１機器の消費電力の値が、前記第１機器の余力電力のうち前記Ｌ２相から供給されることが明確でない余力電力の値と前記第１電力値との合計値である第１合計値を前記第１閾値よりも小さい第２閾値以下にする消費電力の上限の値を超えないように前記第１機器を制御し、前記電力値取得部により取得された第２電力値が前記第１閾値未満である場合、前記第１機器の消費電力の値が、前記第１機器の余力電力のうち前記Ｌ１相から供給されることが明確でない余力電力の値と前記第２電力値との合計値である第２合計値を前記第２閾値以下にする消費電力の上限の値を超えないように前記第１機器を制御する制御部と、を備える。
【発明の効果】
【０００８】
本発明では、第１電力値が第１閾値未満である場合、第１機器の消費電力の値が、第１合計値を第１閾値よりも小さい第２閾値以下にする消費電力の上限の値を超えないように第１機器が制御され、第２電力値が第１閾値未満である場合、第１機器の消費電力の値が、第２合計値を第２閾値以下にする消費電力の上限の値を超えないように第１機器が制御される。従って、本発明によれば、電気機器の消費電力を効率的に抑制することができる。
【図面の簡単な説明】
【０００９】
【図１】本発明の実施形態に係るＨＥＭＳシステムの構成図である。
【図２】本発明の実施形態に係る制御装置の構成図である。
【図３】本発明の実施形態に係る制御装置の機能を説明するための図である。
【図４】Ｌ１相に関わる第１機器が低出力化される様子を示す図である。
【図５】Ｌ２相に関わる第１機器が低出力化される様子を示す図である。
【図６】Ｌ１相に関わる複数の第１機器が同じ割合で低出力化される様子を示す図である。
【図７】Ｌ１相において、第２機器以外の第１機器が低出力化された後に第２機器が低出力化される様子を示す図である。
【図８】Ｌ１相において、第２機器以外の第１機器のみが低出力化される様子を示す図である。
【図９】Ｌ１相に関わる電気機器が緊急に低出力化される様子を示す図である。
【図１０】本発明の実施形態に係る制御装置が実行する電気機器制御処理を示すフローチャートである。
【図１１】図１０に示す接続先特定処理を示すフローチャートである。
【図１２】図１０に示す第１通常低出力化処理を示すフローチャートである。
【発明を実施するための形態】
【００１０】
（実施形態）
まず、本発明の実施形態に係るＨＥＭＳ（Home Energy Management System）システム１０００について説明する。ＨＥＭＳシステム１０００は、制御装置１００が計測装置３００により計測された電力値などに基づいて、電気機器４０１、電気機器４０２、電気機器４０３、電気機器４０４により消費される電力などを制御するシステムである。制御装置１００は、各電気機器の動作をなるべく制限せずに、漏電ブレーカ２００がなるべく遮断されないように、各電気機器により消費される電力を制御する。
【００１１】
制御装置１００は、各電気機器を、制御したり監視したりするＨＥＭＳコントローラである。制御装置１００は、宅内ネットワーク７１０に接続する機能を有する。従って、制御装置１００は、宅内ネットワーク７１０に接続された電気機器４０１、電気機器４０２、電気機器４０３及び電気機器４０４と通信することが可能である。一方、制御装置１００は、宅内ネットワーク７１０に接続されていない電気機器４０５と通信することができない。また、制御装置１００は、宅内ネットワーク７１０と宅外ネットワーク７２０とを介して、宅外ネットワーク７２０に接続されたクラウドサーバ５００及び端末装置６００と通信することが可能である。以下、図２を参照して、制御装置１００の構成について説明する。
【００１２】
図２に示すように、制御装置１００は、ＣＰＵ（Central Processing Unit）１１、ＲＯＭ（Read Only Memory）１２、ＲＡＭ（Random Access Memory）１３、フラッシュメモリ１４、ＲＴＣ（Real Time Clock）１５、タッチスクリーン１６、ネットワークインターフェース１７を備える。制御装置１００が備える各構成要素は、バスを介して相互に接続される。
【００１３】
ＣＰＵ１１は、制御装置１００の全体の動作を制御する。なお、ＣＰＵ１１は、ＲＯＭ１２に格納されているプログラムに従って動作し、ＲＡＭ１３をワークエリアとして使用する。ＲＯＭ１２には、制御装置１００の全体の動作を制御するためのプログラムやデータが記憶される。ＲＡＭ１３は、ＣＰＵ１１のワークエリアとして機能する。つまり、ＣＰＵ１１は、ＲＡＭ１３にプログラムやデータを一時的に書き込み、これらのプログラムやデータを適宜参照する。
【００１４】
フラッシュメモリ１４は、各種の情報を記憶する不揮発性メモリである。ＲＴＣ１５は、計時用のデバイスである。ＲＴＣ１５は、例えば、電池を内蔵し、制御装置１００の電源がオフの間も計時を継続する。ＲＴＣ１５は、例えば、水晶発振子を備える発振回路を備える。
【００１５】
タッチスクリーン１６は、ユーザによりなされたタッチ操作を検知し、検知の結果を示す信号をＣＰＵ１１に供給する。また、タッチスクリーン１６は、ＣＰＵ１１などから供給された画像信号に基づく画像を表示する。このように、タッチスクリーン１６は、制御装置１００のユーザインターフェースとして機能する。
【００１６】
ネットワークインターフェース１７は、制御装置１００を、宅内ネットワーク７１０に接続するためのインターフェースである。制御装置１００は、宅内ネットワーク７１０を介して、宅内ネットワーク７１０に接続された、計測装置３００、電気機器４０１、電気機器４０２、電気機器４０３及び電気機器４０４と通信することが可能である。また、制御装置１００は、宅内ネットワーク７１０を介して、宅外ネットワーク７２０に接続されたクラウドサーバ５００及び端末装置６００と通信することが可能である。ネットワークインターフェース１７は、例えば、ＮＩＣ（Network Interface Card）などのＬＡＮ（Local Area Network）インターフェースを備える。
【００１７】
漏電ブレーカ２００は、２つの１００Ｖ電源系統と１つの２００Ｖ系統とを有する単相三線式の電源系統で用いられる主幹ブレーカである。漏電ブレーカ２００は、Ｌ１相の電位が印加される電線Ｌ１とＬ２相の電位が印加される電線Ｌ２と中性相の電位が印加される電線Ｎとにより商用電源（図示せず）に接続される。漏電ブレーカ２００は、Ｌ１相から各電気機器に供給される電力の合計値（以下、適宜「第１電力値」という。）がブレーカ容量を超えた場合、各電気機器への電力の供給を遮断する。また、漏電ブレーカ２００は、Ｌ２相から各電気機器に供給される電力の合計値（以下、適宜「第２電力値」という。）がブレーカ容量を超えた場合、各電気機器への電力の供給を遮断する。従って、漏電ブレーカ２００を遮断させないためには、第１電力値と第２電力値とのいずれもがブレーカ容量を超えないようにする必要がある。なお、ブレーカ容量は、Ｌ１相とＬ２相とで同じであるものとする。
【００１８】
分岐ブレーカ２１０は、電線Ｌ１と電線Ｎとにより漏電ブレーカ２００に接続される。分岐ブレーカ２１０は、電線Ｌ１と電線Ｎとにより１００Ｖの交流電力を各電気機器に供給する。分岐ブレーカ２２０は、電線Ｌ２と電線Ｎとにより漏電ブレーカ２００に接続される。分岐ブレーカ２２０は、電線Ｌ２と電線Ｎとにより１００Ｖの交流電力を各電気機器に供給する。分岐ブレーカ２３０は、電線Ｌ１と電線Ｌ２とにより漏電ブレーカ２００に接続される。分岐ブレーカ２３０は、電線Ｌ１と電線Ｌ２とにより２００Ｖの交流電力を各電気機器に供給する。
【００１９】
計測装置３００は、電流センサ３０１から取得した電流情報に基づいて、第１電力値を計測する。また、計測装置３００は、電流センサ３０２から取得した電流情報に基づいて、第２電力値を計測する。電流センサ３０１は、電線Ｌ１に流れる電流の値を示す電流情報を計測装置３００に供給する。電流センサ３０２は、電線Ｌ２に流れる電流の値を示す電流情報を計測装置３００に供給する。計測装置３００は、宅内ネットワーク７１０に接続する機能を有する。従って、計測装置３００は、宅内ネットワーク７１０を介して、宅内ネットワーク７１０に接続された制御装置１００などと通信することが可能である。
【００２０】
電気機器４０１、電気機器４０２、電気機器４０３、電気機器４０４、電気機器４０５は、漏電ブレーカ２００を介して供給された電力で動作する、ＩＨ（Induction Heating）調理器、空調機器、炊飯器、給湯器、乾燥機、テレビ、などの機器である。各電気機器は、種々の観点により分類される。例えば、各電気機器は、宅内ネットワーク７１０に接続され制御装置１００により制御可能な機器（以下、適宜「制御可能機器」という。）と、宅内ネットワーク７１０に接続されず制御装置１００により制御不能な機器（以下、適宜「制御不能機器」という。）と、に分類される。本実施形態では、制御可能機器は、消費電力の上限値を調整する機能（パワーセーブ機能）を有するものとする。
【００２１】
また、各電気機器は、現在の消費電力から消費電力の上限までの余力電力の値（以下、適宜「余力電力値」という。）を制御装置１００が取得可能な機器（以下、適宜「第１機器」という。）と、余力電力値を制御装置１００が取得不能な機器と、に分類される。第１機器は、例えば、現在の消費電力値と消費電力の上限値と消費電力の最大定格値とを示す個別電力情報を制御装置１００に供給可能な機器である。第１機器は、例えば、消費電力値をリアルタイムで計測する機能を有するか、消費電力値を動作状態に基づいてリアルタイムで特定する機能を有することが好適である。
【００２２】
また、第１機器は、消費電力の上限値が優先して確保される機器（以下、適宜「第２機器」という。）と、第２機器以外の機器と、に分類される。第２機器は、例えば、消費電力が比較的大きく、消費電力の上限値が制限されることが望ましくないＩＨ調理器などの機器である。また、各電気機器は、接続先の相を制御装置１００が特定可能な機器（以下、適宜「接続先特定可能機器」という。）と、接続先の相を制御装置１００が特定不能な機器（以下、適宜「接続先特定不能機器」という。）と、に分類される。本実施形態では、接続先の相は、接続先の分岐ブレーカともいえる。
【００２３】
電気機器４０１は、分岐ブレーカ２３０に接続され、Ｌ１相とＬ２相とに接続される。電気機器４０１は、制御可能機器であり、第１機器であり、第２機器であり、接続先特定可能機器である。電気機器４０１は、例えば、ＩＨ調理器である。電気機器４０２は、分岐ブレーカ２１０に接続され、Ｌ１相に接続される。電気機器４０２は、制御可能機器であり、第１機器であり、接続先特定可能機器である。電気機器４０２は、例えば、ＩＨ調理器以外の機器である。
【００２４】
電気機器４０３は、制御可能機器であり、第１機器ではなく、接続先特定可能機器である。電気機器４０３は、例えば、ＩＨ調理器以外の機器である。電気機器４０４は、制御可能機器であり、第１機器であり、接続先特定不能機器である。電気機器４０３は、例えば、ＩＨ調理器以外の機器である。電気機器４０５は、制御不能機器であり、第１機器ではなく、接続先特定不能機器である。電気機器４０５は、例えば、ＩＨ調理器以外の機器である。なお、本発明において、電気機器の個数、各電気機器の接続先、各電気機器の分類は、上述された例に限定されないことは勿論である。
【００２５】
クラウドサーバ５００は、クラウドコンピューティングにおけるリソースを提供するサーバである。クラウドサーバ５００は、例えば、ＣＰＵ、ＲＯＭ、ＲＡＭなどを備える制御部（図示せず）と、記憶部（図示せず）と、宅外ネットワーク７２０に接続される通信部と（図示せず）、を備える。クラウドサーバ５００は、宅内ネットワーク７１０と宅外ネットワーク７２０とを介して制御装置１００に接続される。クラウドサーバ５００は、制御装置１００による要求に従って、記憶部に記憶された情報を、制御装置１００に送信する。また、クラウドサーバ５００は、制御装置１００から受信した情報を、記憶部に記憶する。また、クラウドサーバ５００は、制御装置１００による要求に従って各種の処理を実行し、処理結果を示す情報を制御装置１００に送信する。
【００２６】
端末装置６００は、情報処理機能や通信機能などを有する端末装置である。端末装置６００は、例えば、ＣＰＵ、ＲＯＭ、ＲＡＭなどを備える制御部（図示せず）と、記憶部（図示せず）と、宅外ネットワーク７２０に接続される通信部と（図示せず）、各種の情報を表示する表示部（図示せず）と、を備える。端末装置６００は、宅内ネットワーク７１０と宅外ネットワーク７２０とを介して制御装置１００に接続される。端末装置６００は、例えば、制御装置１００のユーザインターフェースとして機能する。つまり、ユーザは、端末装置６００を介して、制御装置１００を操作したり、制御装置１００が有する情報を参照したりすることができる。例えば、端末装置６００は、制御装置１００に対する指示を受け付ける画面をユーザに提示し、ユーザから受け付けられた指示を示す情報を制御装置１００に送信する。端末装置６００は、スマートフォン、タブレット端末、ノートパソコンなどの装置である。
【００２７】
宅内ネットワーク７１０は、宅内に構築されるネットワークである。宅内ネットワーク７１０は、例えば、制御装置１００と計測装置３００と各電気機器とが相互に通信するためのホームネットワークである。宅内ネットワーク７１０は、例えば、ＥＣＨＯＮＥＴ  Ｌｉｔｅ等の通信プロトコルに対応する無線ＬＡＮなどのネットワークである。
【００２８】
宅外ネットワーク７２０は、宅外に構築されるネットワークである。宅外ネットワーク７２０は、例えば、クラウドサーバ５００と端末装置６００とが相互に通信するためのネットワークである。また、宅内ネットワーク７１０と宅外ネットワーク７２０とは、ブロードバンドルータ（図示せず）を介して相互に接続される。従って、宅内ネットワーク７１０に接続された機器と宅外ネットワーク７２０に接続された機器とは、相互に通信することが可能である。宅外ネットワーク７２０は、例えば、インターネットなどのＷＡＮ（Wide Area Network）である。
【００２９】
次に、図３を参照して、制御装置１００の基本的な機能について説明する。制御装置１００は、機能的には、電力値取得部１０１、上限値設定部１０２を備える制御部１０３、相判別部１０４、受信部１０５、個別電力情報取得部１０６を備える。
【００３０】
電力値取得部１０１は、第１電力値と第２電力値とを取得する。第１電力値は、Ｌ１相から第１機器を含む複数の電気機器に供給されている電力の合計値である。第２電力値は、Ｌ２相からこれらの複数の電気機器に供給されている電力の合計値である。電力値取得部１０１の機能は、例えば、ＣＰＵ１１とネットワークインターフェース１７とが協働することにより実現される。
【００３１】
上限値設定部１０２は、第１電力値が第１閾値未満である場合、第１合計値が第２閾値以下になるように、第１機器の消費電力の上限値を設定する。第２閾値は、第１閾値よりも小さい閾値である。第２閾値は、通常低出力化処理において用いられる閾値である。第１閾値は、緊急低出力化処理が必要か否かを判別するための閾値である。第１閾値は、例えば、ブレーカ容量よりも小さい値に設定される。第１合計値は、Ｌ１相に関わる余力電力値と第１電力値との合計値である。Ｌ１相に関わる余力電力値は、第１機器の余力電力のうちＬ２相から供給されると判別されない余力電力の合計値である。Ｌ１相に関わる余力電力値は、接続先の相がＬ１相のみであることが判明している第１機器の余力電力の合計値と、接続先の相がＬ１相とＬ２相とであることが判明している第１機器の余力電力の合計値の半分の値と、接続先の相が不明である第１機器の余力電力の合計値と、の合計値である。つまり、Ｌ１相から供給されて消費される可能性のある余力電力が考慮されて、Ｌ１相に関わる余力電力値が算出される。なお、上限値設定部１０２は、第１合計値が第２閾値以下になる限りにおいて、第１機器の消費電力の上限値をなるべく高く設定することが望ましい。
【００３２】
また、上限値設定部１０２は、第２電力値が第１閾値未満である場合、第２合計値が第２閾値以下になるように、第１機器の消費電力の上限値を設定する。第２合計値は、Ｌ２相に関わる余力電力値と第２電力値との合計値である。Ｌ２相に関わる余力電力値は、第１機器の余力電力のうちＬ１相から供給されると判別されない余力電力の合計値である。Ｌ２相に関わる余力電力値は、接続先の相がＬ２相のみであることが判明している第１機器の余力電力の合計値と、接続先の相がＬ１相とＬ２相とであることが判明している第１機器の余力電力の合計値の半分の値と、接続先の相が不明である第１機器の余力電力の合計値と、の合計値である。つまり、Ｌ２相から供給されて消費される可能性のある余力電力が考慮されて、Ｌ２相に関わる余力電力値が算出される。なお、上限値設定部１０２は、第２合計値が第２閾値以下になる限りにおいて、第１機器の消費電力の上限値をなるべく高く設定することが望ましい。上限値設定部１０２の機能は、例えば、ＣＰＵ１１とネットワークインターフェース１７とが協働することにより実現される。
【００３３】
制御部１０３は、第１機器の消費電力値が上限値設定部１０２により設定された上限値を超えないように第１機器を制御する。例えば、制御部１０３は、設定された上限値未満の消費電力で動作すること（パワーをセーブすること）を指示する制御信号を、第１機器に送信する。なお、第１機器は、このような制御信号を受信したことに応答して、パワーをセーブし、その後、予め定められた時間（例えば、数十分）が経過した場合、パワーのセーブを終了してもよい。かかる構成であれば、制御装置１００によりパワーセーブを解除することを指示する制御信号の授受がなくても、第１機器が自動的にパワーをセーブしない状態に移行することができる。制御部１０３の機能は、例えば、ＣＰＵ１１とネットワークインターフェース１７とが協働することにより実現される。
【００３４】
相判別部１０４は、制御部１０３により第１機器が制御されたことに応答して電力値取得部１０１により取得される第１電力値が変化した場合、第１機器の余力電力がＬ１相から供給されると判別することができる。また、相判別部１０４は、制御部１０３により第１機器が制御されたことに応答して電力値取得部１０１により取得される第２電力値が変化した場合、第１機器の余力電力がＬ２相から供給されると判別することができる。また、相判別部１０４は、制御部１０３により第１機器が制御されたことに応答して電力値取得部１０１により取得される第１電力値及び第２電力値が変化した場合、第１機器の余力電力がＬ１相とＬ２相との双方から供給されると判別することができる。なお、制御部１０３は、第１機器の消費電力が変化するように第１機器を制御することが前提である。相判別部１０４の機能は、例えば、ＣＰＵ１１がＲＯＭ１２に記憶されたプログラムを実行することにより実現される。
【００３５】
ここで、上限値設定部１０２は、余力電力が同一の相から供給される複数の第１機器の消費電力の上限の値を設定する場合、消費電力の最大定格値に対する消費電力の上限の値の割合が一定になるように、複数の第１機器の消費電力の上限値を設定してもよい。
【００３６】
或いは、上限値設定部１０２は、低出力化処理の対象とする第１機器を、段階的に追加してもよい。例えば、上限値設定部１０２は、電力値取得部１０１により取得された第１電力値が第１閾値未満であり、第２機器がＬ１相に関わる機器である場合、第２機器でない第１機器のうちＬ１相に関わる機器の消費電力の上限値を設定する。第２機器がＬ１相に関わる機器である場合とは、例えば、第２機器の余力電力がＬ２相のみから供給されると判別されない場合である。また、第２機器でない第１機器のうちＬ１相に関わる機器とは、例えば、第２機器でない第１機器のうち余力電力がＬ２相のみから供給されると判別されない第１機器である。ここで、上限値設定部１０２は、第１合計値が第２閾値以下にならない場合、第２機器の消費電力の上限の値を更に設定する。
【００３７】
また、上限値設定部１０２は、電力値取得部１０１により取得された第２電力値が第１閾値未満であり、第２機器がＬ２相に関わる機器である場合、第２機器でない第１機器のうちＬ２相に関わる機器の消費電力の上限値を設定する。第２機器がＬ２相に関わる機器である場合とは、例えば、第２機器の余力電力がＬ１相のみから供給されると判別されない場合である。また、第２機器でない第１機器のうちＬ２相に関わる機器とは、例えば、第２機器でない第１機器のうち余力電力がＬ１相のみから供給されると判別されない第１機器である。ここで、上限値設定部１０２は、第２合計値が第２閾値以下にならない場合、第２機器の消費電力の上限の値を更に設定する。
【００３８】
受信部１０５は、第２機器が起動中であることを示す起動中信号を受信する。受信部１０５の機能は、例えば、ネットワークインターフェース１７の機能により実現される。ここで、上限値設定部１０２は、電力値取得部１０１により取得された第１電力値が第１閾値未満であり、第２機器が消費する電力がＬ２相のみから供給されると判別されず、受信部１０５により起動中信号が受信された場合、第２機器の消費電力の上限の値として消費電力の上限の最大値を設定する。そして、上限値設定部１０２は、第１合計値が第２閾値以下になるように、第２機器でない第１機器のうちＬ１相に関わる第１機器の消費電力の上限の値を設定する。
【００３９】
また、上限値設定部１０２は、電力値取得部１０１により取得された第２電力値が第１閾値未満であり、第２機器の余力電力がＬ２相のみから供給されると判別されず、受信部１０５により起動中信号が受信された場合、第２機器の消費電力の上限の値として消費電力の上限の最大値を設定する。そして、上限値設定部１０２は、第２合計値が第２閾値以下になるように、第２機器でない第１機器のうちＬ２相に関わる第１機器の消費電力の上限の値を設定する。
【００４０】
ここで、上限値設定部１０２は、電力値取得部１０１により取得された第１電力値が第１閾値以上である場合、複数の電気機器のうち余力電力がＬ２相のみから供給されると判別されない全ての電気機器の消費電力の上限の値として消費電力の上限の最小値を設定してもよい。
【００４１】
また、上限値設定部１０２は、電力値取得部１０１により取得された第２電力値が第１閾値以上である場合、複数の電気機器のうち余力電力がＬ１相のみから供給されると判別されない全ての電気機器の消費電力の上限の値として消費電力の上限の最小値を設定してもよい。
【００４２】
個別電力情報取得部１０６は、第１電気機器から個別電力情報を取得する。個別電力情報は、上述したように、現在の消費電力値と消費電力の上限値と消費電力の最大定格値とを示す情報である。個別電力情報取得部１０６の機能は、例えば、ＣＰＵ１１とネットワークインターフェース１７とが協働することにより実現される。
【００４３】
次に、図４を参照して、Ｌ１相に関わる第１機器が低出力化される手法について説明する。
【００４４】
まず、第１合計値は、第１電力値と第１余力電力値との合計値である。本実施形態では、Ｌ１相から電力の供給を受ける電気機器は、電気機器４０１と電気機器４０２と電気機器４０３との３つの電気機器である。ここで、電気機器４０１は、Ｌ１相から供給される電力の量と同じ量の電力をＬ２相から供給される。つまり、電気機器４０１の消費電力値の５０％が、第１消費電力値の算出時に考慮される。従って、第１電力値は、電気機器４０１の消費電力値の５０％と電気機器４０２の消費電力値と電気機器４０３の消費電力値との合計値となる。
【００４５】
ここで、電気機器４０３は第１機器ではないため、制御装置１００は電気機器４０３の消費電力値や余力電力値を特定できない。このため、電気機器４０３の消費電力値を破線で示している。また、電気機器４０３の余力電力値は、第１余力電力値の算出時に考慮されない。一方、電気機器４０４は、接続先特定不能機器であるため、制御装置１００は電気機器４０４がＬ１相に接続されているか否かを特定できない。このため、電気機器４０４の余力電力値は、第１余力電力値の算出時に考慮される。つまり、第１余力電力値は、電気機器４０１の余力電力値の５０％と電気機器４０２の余力電力値と電気機器４０４の余力電力値との合計値となる。
【００４６】
ここで、図４に示すように、低出力化前の第１電力値が第１閾値未満であり、低出力化前の第１合計値が第２閾値を超えているものとする。この場合、制御装置１００は、第１合計値が第２閾値以下になるように、Ｌ１相に関わる第１機器の消費電力の上限値を低下させる。例えば、制御装置１００は、第１合計値が第２閾値以下になるまで、電気機器４０１の消費電力の上限値と電気機器４０２の消費電力の上限値と電気機器４０４の消費電力の上限値とを徐々に低下させる。図４には、低出力化前の第１合計値が第２閾値まで低下した例を示している。
【００４７】
次に、図５を参照して、Ｌ２相に関わる第１機器が低出力化される手法について説明する。
【００４８】
まず、第２合計値は、第２電力値と第２余力電力値との合計値である。本実施形態では、Ｌ２相から電力の供給を受ける電気機器は、電気機器４０１と電気機器４０４と電気機器４０５との３つの電気機器である。ここで、電気機器４０１の消費電力値の５０％が、第２余力電力値の算出時に考慮される。従って、第２電力値は、電気機器４０１の消費電力値の５０％と電気機器４０４の消費電力値と電気機器４０５の消費電力値との合計値となる。
【００４９】
ここで、電気機器４０５は制御可能機器ではないため、制御装置１００は電気機器４０５の消費電力値や余力電力値を特定できない。このため、電気機器４０５の消費電力値を破線で示している。また、電気機器４０５の余力電力値は、第２余力電力値の算出時に考慮されない。なお、電気機器４０４は、接続先特定不能機器であるため、制御装置１００は電気機器４０４がＬ２相に接続されているか否かを特定できない。このため、電気機器４０４の余力電力値は、第２余力電力値の算出時に考慮される。つまり、第２余力電力値は、電気機器４０１の余力電力値の５０％と電気機器４０４の余力電力値との合計値となる。
【００５０】
ここで、図５に示すように、低出力化前の第２電力値が第１閾値未満であり、低出力化前の第１合計値が第２閾値を超えているものとする。この場合、制御装置１００は、第１合計値が第２閾値以下になるように、Ｌ２相に関わる第１機器の消費電力の上限値を低下させる。例えば、制御装置１００は、第２合計値が第２閾値以下になるまで、電気機器４０１の消費電力の上限値と電気機器４０４の消費電力の上限値とを徐々に低下させる。図５には、低出力化前の第２合計値が第２閾値まで低下した例を示している。
【００５１】
次に、図６を参照して、Ｌ１相に関わる複数の第１機器が同じ割合で低出力化される手法について説明する。この手法は、例えば、第２機器である第１機器と第２機器でない第１機器とで、消費電力を維持する必要性の差が比較的小さい場合に採用されることが好適である。
【００５２】
図６に示すように、Ｌ１相に関わる第１機器の消費電力の上限値の合計値を第１合計上限値とする。ここで、消費電力の上限値は、消費電力値と余力電力値との合計値である。このため、第１合計上限値は、Ｌ１相に関わる第１機器の消費電力値の合計値とＬ１相に関わる第１機器の余力電力値の合計値との合計値である。ここで、図６に示すように、低出力化前の第１電力値が第１閾値未満であり、低出力化前の第１合計値が第２閾値を超えているものとする。この場合、制御装置１００は、第１合計値が第２閾値以下になるように、Ｌ１相に関わる第１機器の消費電力の上限値を低下させる。
【００５３】
具体的には、制御装置１００は、第１合計値が第２閾値以下になるまで、消費電力の最大定格値に対する消費電力の上限値の割合が、電気機器４０１と電気機器４０２と電気機器４０４とで同じとなる状態を維持しながら、この割合を徐々に下げる。つまり、制御装置１００は、電気機器４０１の消費電力の最大定格値に対する電気機器４０１の消費電力の上限値の割合と、電気機器４０２の消費電力の最大定格値に対する電気機器４０２の消費電力の上限値の割合と、電気機器４０４の消費電力の最大定格値に対する電気機器４０４の消費電力の上限値の割合と、が同じである状態を維持しつつ、この割合を徐々に下げる。
【００５４】
次に、図７を参照して、Ｌ１相において、第２機器以外の第１機器が低出力化された後に第２機器が低出力化される手法について説明する。この手法は、例えば、第２機器である第１機器において消費電力を維持する必要性の方が、第２機器でない第１機器において消費電力を維持する必要性よりも比較的高い場合に採用されることが好適である。
【００５５】
まず、図７に示すように、低出力化前の第１電力値が第１閾値未満であり、低出力化前の第１合計値が第２閾値を超えているものとする。この場合、制御装置１００は、第１合計値が第２閾値以下になるように、第１合計上限値を低下させる。具体的には、制御装置１００は、まず、第１段階の低出力化処理を実行する。第１段階の低出力化処理は、第２機器でない第１機器である電気機器４０２及び電気機器４０４の消費電力の上限値を徐々に低下させる処理である。ここで、第１段階の低出力化において第１合計値が第２閾値以下になった場合、制御装置１００は、低出力化処理を完了する。
【００５６】
一方、第１段階の低出力化において第１合計値が第２閾値以下にならなかった場合（上記割合が下限値まで達した場合）、制御装置１００は、第２段階の低出力化処理を実行する。第２段階の低出力化処理は、第２機器である電気機器４０１の消費電力の上限値を徐々に低下させる処理である。制御装置１００は、第１合計値が第２閾値以下になるまで、もしくは、電気機器４０１における上記割合が下限値まで達するまで、第２段階の低出力化処理を実行する。
【００５７】
次に、図８を参照して、Ｌ１相において、第２機器以外の第１機器のみが低出力化される手法について説明する。この手法は、例えば、第２機器である第１機器において消費電力を維持する必要性の方が、第２機器でない第１機器において消費電力を維持する必要性よりも極めて高い場合に採用されることが好適である。
【００５８】
まず、図８に示すように、低出力化前の第１電力値が第１閾値未満であり、低出力化前の第１合計値が第２閾値を超えているものとする。この場合、制御装置１００は、第１合計値が第２閾値以下になるように、第１合計上限値を低下させる。具体的には、制御装置１００は、第２機器でない第１機器である電気機器４０２及び電気機器４０４の消費電力の上限値を徐々に低下させる。ここで、制御装置１００は、第１合計値が第２閾値以下になった場合、低出力化処理を完了する。また、制御装置１００は、第１合計値が第２閾値以下にならなかった場合でも、電気機器４０２及び電気機器４０４における上記割合が下限値に達した場合、低出力化処理を完了する。つまり、この手法では、制御装置１００は、第２機器に対しては、低出力化処理を実行しない。
【００５９】
次に、図９を参照して、Ｌ１相に関わる電気機器が緊急に低出力化される手法について説明する。この手法は、例えば、漏電ブレーカ２００を遮断させたくないという要望が比較的強い場合に、採用されることが好適である。
【００６０】
まず、図９に示すように、低出力化前の第１電力値が第１閾値以上であるものとする。この場合、制御装置１００は、第１電力値が第１閾値未満になるように、速やかに、第１合計上限値を低下させる。具体的には、制御装置１００は、Ｌ１相に関わる電気機器のうち制御可能な全ての電気機器の消費電力の上限値を、設定可能な最低値に設定する。つまり、制御装置１００は、電気機器４０１の消費電力の上限値を設定可能な最低値に設定し、電気機器４０２の消費電力の上限値を設定可能な最低値に設定し、電気機器４０３の消費電力の上限値を設定可能な最低値に設定し、電気機器４０４の消費電力の上限値を設定可能な最低値に設定する。かかる手法によれば、低出力化前の第１電力値が第１閾値以上であった場合でも、速やかに第１電力値を第１閾値未満にすることが期待できる。
【００６１】
次に、図１０に示すフローチャートを参照して、制御装置１００が実行する電気機器制御処理について説明する。電気機器制御処理は、例えば、制御装置１００の電源が投入されたことに応答して開始される。
【００６２】
まず、ＣＰＵ１１は、接続先特定処理を実行する（ステップＳ１０１）。接続先特定処理については、図１１に示すフローチャートを参照して、詳細に説明する。
【００６３】
まず、ＣＰＵ１１は、電気機器を１つ選択する（ステップＳ２０１）。具体的には、ＣＰＵ１１は、電気機器４０１と電気機器４０２と電気機器４０３と電気機器４０４とのうちのいずれか１つの電気機器を選択する。ＣＰＵ１１は、ステップＳ２０１の処理を完了すると、第１電力値と第２電力値とを取得する（ステップＳ２０２）。具体的には、ＣＰＵ１１は、ネットワークインターフェース１７を介して、第１電力値を示す情報と第２電力値を示す情報とを計測装置３００から取得し、取得した情報をＲＡＭ１３に記憶する。
【００６４】
ＣＰＵ１１は、ステップＳ２０２の処理を完了すると、選択した電気機器の動作状態を変更する（ステップＳ２０３）。例えば、ＣＰＵ１１は、ネットワークインターフェース１７を介して、動作状態の変更を指示する制御信号を、選択した電気機器に送信する。なお、選択した電気機器の動作状態が変更されると、選択した電気機器の消費電力が変化するものとする。
【００６５】
ＣＰＵ１１は、ステップＳ２０３の処理を完了すると、第１電力値と第２電力値とを取得する（ステップＳ２０４）。具体的には、ＣＰＵ１１は、ネットワークインターフェース１７を介して、第１電力値を示す情報と第２電力値を示す情報とを計測装置３００から取得し、取得した情報をＲＡＭ１３に記憶する。ＣＰＵ１１は、ステップＳ２０４の処理を完了すると、動作状態の変更の前後で、第１電力値と第２電力値との双方が変化したか否かを判別する（ステップＳ２０５）。
【００６６】
ＣＰＵ１１は、第１電力値と第２電力値との双方が変化したと判別すると（ステップＳ２０５：ＹＥＳ）、選択した電気機器の接続先をＬ１相及びＬ２相と特定する（ステップＳ２０６）。ＣＰＵ１１は、第１電力値と第２電力値との双方は変化していないと判別すると（ステップＳ２０５：ＮＯ）、動作状態の変更の前後で、第１電力値が変化したか否かを判別する（ステップＳ２０７）。
【００６７】
ＣＰＵ１１は、第１電力値が変化したと判別すると（ステップＳ２０７：ＹＥＳ）、選択した電気機器の接続先をＬ１相と特定する（ステップＳ２０８）。一方、ＣＰＵ１１は、第１電力値が変化していないと判別すると（ステップＳ２０７：ＮＯ）、選択した電気機器の接続先をＬ２相と特定する（ステップＳ２０９）。ＣＰＵ１１は、ステップＳ２０６、ステップＳ２０８、ステップＳ２０９における特定結果をＲＡＭ１３に記憶する。
【００６８】
ＣＰＵ１１は、ステップＳ２０６、ステップＳ２０８、ステップＳ２０９の処理を完了すると、未選択の電気機器があるか否かを判別する（ステップＳ２１０）。ＣＰＵ１１は、未選択の電気機器があると判別すると（ステップＳ２１０：ＹＥＳ）、ステップＳ２０１に処理を戻し、ステップＳ２０１において未選択の電気機器を１つ選択する。ＣＰＵ１１は、未選択の電気機器がないと判別すると（ステップＳ２１０：ＮＯ）、接続先特定処理を完了する。
【００６９】
ＣＰＵ１１は、ステップＳ１０１の処理を完了すると、現在時刻が電力値チェック時刻であるか否かを判別する（ステップＳ１０２）。電力値チェック時刻は、例えば、予め定められた時間（例えば、３０秒）が経過する毎に到来する時刻である。ＣＰＵ１１は、例えば、ＲＴＣ１５から供給される情報に基づいて、現在時刻が電力値チェック時刻であるか否かを判別する。ＣＰＵ１１は、現在時刻が電力値チェック時刻でないと判別すると（ステップＳ１０２：ＮＯ）、ステップＳ１０２に処理を戻す。
【００７０】
一方、ＣＰＵ１１は、現在時刻が電力値チェック時刻であると判別すると（ステップＳ１０２：ＹＥＳ）、第１電力値を取得する（ステップＳ１０３）。具体的には、ＣＰＵ１１は、ネットワークインターフェース１７を介して、第１電力値を示す情報を計測装置３００から取得する。ＣＰＵ１１は、ステップＳ１０３の処理を完了すると、第１電力値が第１閾値以上であるか否かを判別する（ステップＳ１０４）。
【００７１】
ＣＰＵ１１は、第１電力値が第１閾値以上であると判別した場合（ステップＳ１０４：ＹＥＳ）、第１緊急低出力化処理を実行する（ステップＳ１０５）。なお、第１緊急低出力化処理は、図９を参照して説明した手法により低出力化を図る処理である。つまり、ＣＰＵ１１は、第１緊急低出力化処理では、Ｌ１相に関わる電気機器のうち制御可能な全ての電気機器の消費電力の上限値を、設定可能な最低値に設定する。
【００７２】
一方、ＣＰＵ１１は、第１電力値が第１閾値以上でないと判別した場合（ステップＳ１０４：ＮＯ）、第１通常低出力化処理を実行する（ステップＳ１０６）。第１通常低出力化処理については、図１２に示すフローチャートを参照して、詳細に説明する。
【００７３】
まず、ＣＰＵ１１は、Ｌ１相に関わる第１機器の余力電力値を取得する（ステップＳ３０１）。例えば、ＣＰＵ１１は、ネットワークインターフェース１７を介して、Ｌ１相に関わる全ての第１機器から、個別電力情報取得する。なお、個別電力情報には、余力電力値を示す情報が含まれているものとする。
【００７４】
ＣＰＵ１１は、ステップＳ３０１の処理を完了すると、第１合計値が第２閾値以下であるか否かを判別する（ステップＳ３０２）。なお、第１合計値は、ステップＳ３０１において取得された余力電力値の合計値とステップＳ１０３において取得された第１電力値との合計値である。ＣＰＵ１１は、第１合計値が第２閾値以下であると判別すると（ステップＳ３０２：ＹＥＳ）、第１通常低出力化処理を完了する。
【００７５】
一方、ＣＰＵ１１は、第１合計値が第２閾値以下でないと判別すると（ステップＳ３０２：ＮＯ）、Ｌ１相に関わる第２機器から起動中信号を受信したか否かを判別する（ステップＳ３０３）。例えば、ＣＰＵ１１は、ネットワークインターフェース１７によりＬ１相に関わる第２機器から起動中信号が受信されたか否かを判別する。
【００７６】
ＣＰＵ１１は、Ｌ１相に関わる第２機器から起動中信号を受信したと判別すると（ステップＳ３０３：ＹＥＳ）、Ｌ１相に関わる第２機器を最大出力化する（ステップＳ３０４）。例えば、ＣＰＵ１１は、Ｌ１相に関わる第２機器の消費電力の上限値として、この第２機器の消費電力の最大定格値を設定する。そして、ＣＰＵ１１は、ネットワークインターフェース１７を介して、消費電力の上限値をこの最大定格値にすることを指示する制御信号を、この第２機器に送信する。
【００７７】
ＣＰＵ１１は、ステップＳ３０４の処理を完了すると、Ｌ１相に関わる第１機器（第２機器以外）を低出力化する（ステップＳ３０５）。例えば、ＣＰＵ１１は、第１合計値が第２閾値以下になるまで、Ｌ１相に関わる第１機器（第２機器以外）の消費電力の上限値を徐々に低下させる処理を実行する。なお、ステップＳ３０４及びステップＳ３０５で実行される処理は、図８を参照して説明した手法による低出力化処理である。ＣＰＵ１１は、ステップＳ３０５の処理を完了すると、第１通常低出力化処理を完了する。
【００７８】
ＣＰＵ１１は、Ｌ１相に関わる第２機器から起動中信号を受信していないと判別すると（ステップＳ３０３：ＮＯ）、Ｌ１相に関わる第１機器（第２機器以外）を低出力化する（ステップＳ３０６）。ＣＰＵ１１は、ステップＳ３０６の処理を完了すると、第１電力値を取得する（ステップＳ３０７）。ＣＰＵ１１は、ステップＳ３０７の処理を完了すると、Ｌ１相に関わる第１機器の余力電力値を取得する（ステップＳ３０８）。
【００７９】
ＣＰＵ１１は、ステップＳ３０８の処理を完了すると、第１合計値が第２閾値以下であるか否かを判別する（ステップＳ３０９）。ＣＰＵ１１は、第１合計値が第２閾値以下であると判別すると（ステップＳ３０９：ＹＥＳ）、第１通常低出力化処理を完了する。
【００８０】
一方、ＣＰＵ１１は、第１合計値が第２閾値以下でないと判別すると（ステップＳ３０９：ＮＯ）、Ｌ１相に関わる第２機器を低出力化する（ステップＳ３１０）。例えば、ＣＰＵ１１は、第１合計値が第２閾値以下になるまで、Ｌ１相に関わる第２機器の消費電力の上限値を徐々に低下させる処理を実行する。なお、ステップＳ３０６からステップＳ３１０で実行される処理は、図７を参照して説明した手法による低出力化処理である。ＣＰＵ１１は、ステップＳ３１０の処理を完了すると、第１通常低出力化処理を完了する。
【００８１】
一方、ＣＰＵ１１は、ステップＳ１０５又はステップＳ１０６の処理を完了すると、第２電力値を取得する（ステップＳ１０７）。具体的には、ＣＰＵ１１は、ネットワークインターフェース１７を介して、第２電力値を示す情報を計測装置３００から取得する。ＣＰＵ１１は、ステップＳ１０７の処理を完了すると、第２電力値が第１閾値以上であるか否かを判別する（ステップＳ１０８）。
【００８２】
ＣＰＵ１１は、第２電力値が第１閾値以上であると判別した場合（ステップＳ１０８：ＹＥＳ）、第２緊急低出力化処理を実行する（ステップＳ１０９）。なお、第２緊急低出力化処理は、図９を参照して説明した手法により低出力化を図る処理である。第２緊急低出力化処理は、低出力化処理の対象となる相がＬ２相である点を除き、第１緊急低出力化処理と同様の処理である。つまり、ＣＰＵ１１は、第２緊急低出力化処理では、Ｌ２相に関わる電気機器のうち制御可能な全ての電気機器の消費電力の上限値を、設定可能な最低値に設定する。
【００８３】
一方、ＣＰＵ１１は、第２電力値が第１閾値以上でないと判別した場合（ステップＳ１０８：ＮＯ）、第２通常低出力化処理を実行する（ステップＳ１１０）。第２通常低出力化処理は、低出力化処理の対象となる相がＬ２相である点を除き、第１通常低出力化処理と同様の処理である。ＣＰＵ１１は、ステップＳ１０９又はステップＳ１１０の処理を完了した場合、ステップＳ１０２に処理を戻す。
【００８４】
以上説明したように、本実施形態では、第１電力値が第１閾値未満である場合、第１機器の消費電力の値が、第１合計値を第１閾値よりも小さい第２閾値以下にする消費電力の上限の値を超えないように第１機器が制御され、第２電力値が第１閾値未満である場合、第１機器の消費電力の値が、第２合計値を第２閾値以下にする消費電力の上限の値を超えないように第１機器が制御される。このように、本実施形態では、電気機器の消費電力がＬ１相とＬ２相との相毎に制御される。従って、本実施形態によれば、電気機器の消費電力を効率的に抑制することができる。また、本実施形態では、第１閾値はブレーカ容量よりも低く設定され、第２閾値は第１閾値よりも低く設定される。従って、本実施形態によれば、漏電ブレーカ２００を遮断させにくくすることができる。
【００８５】
また、本実施形態では、第１電力値の変化と第２電力値の変化とに基づいて、電気機器が電力の供給を受ける相が特定される。従って、本実施形態によれば、電気機器の消費電力を更に効率的に抑制することができる。
【００８６】
また、本実施形態では、余力電力が同一の相から供給される複数の第１機器の消費電力の上限の値を設定する場合、消費電力の最大定格値に対する消費電力の上限の値の割合が同じになるように、複数の第１機器の消費電力の上限の値が設定される。従って、本実施形態によれば、複数の第１機器の消費電力の上限の値をバランス良く低下させることができる。
【００８７】
また、本実施形態では、第２機器でない第１機器に対する低出力化処理を実行しても消費電力の低下が不十分である場合、第２機器である第１機器に対する低出力化処理が実行される。従って、本実施形態によれば、第２機器の消費電力の上限の値が低下しにくくすることができる。
【００８８】
また、本実施形態では、第２機器でない第１機器に対して低出力化処理が実行され、第２機器である第１機器に対して低出力化処理が実行されない。従って、本実施形態によれば、第２機器の消費電力の上限の値が低下することを抑制することができる。
【００８９】
また、本実施形態では、第１電力値が第１閾値以上である場合、及び、第２電力値が第１閾値以上である場合、大幅な低出力化処理が速やかに実行される。従って、本実施形態によれば、漏電ブレーカ２００を遮断させにくくすることができる。
【００９０】
（変形例）
以上、本発明の実施形態を説明したが、本発明を実施するにあたっては、種々の形態による変形及び応用が可能である。
【００９１】
本発明において、上記実施形態において説明した構成、機能、動作のどの部分を採用するのかは任意である。また、本発明において、上述した構成、機能、動作のほか、更なる構成、機能、動作が採用されてもよい。また、上記実施形態において説明した構成、機能、動作は、自由に組み合わせることができる。例えば、制御装置１００が備える一部の構成や機能をクラウドサーバ５００や端末装置６００に持たせることができる。
【００９２】
例えば、クラウドサーバ５００を上記制御装置１００として機能させることができる。この場合、クラウドサーバ５００は、機能的には、電力値取得部１０１、上限値設定部１０２を備える制御部１０３、相判別部１０４、受信部１０５、個別電力情報取得部１０６を備える。この場合、電力値取得部１０１の機能は、例えば、クラウドサーバ５００が備えるＣＰＵ及びネットワークインターフェースが協働することにより実現される。また、上限値設定部１０２の機能は、例えば、クラウドサーバ５００が備えるＣＰＵ及びネットワークインターフェースが協働することにより実現される。また、制御部１０３の機能は、例えば、クラウドサーバ５００が備えるＣＰＵ及びネットワークインターフェースが協働することにより実現される。
【００９３】
また、相判別部１０４の機能は、例えば、クラウドサーバ５００が備えるＣＰＵが、クラウドサーバ５００が備えるＲＯＭに記憶されたプログラムを実行することにより実現される。また、受信部１０５の機能は、例えば、クラウドサーバ５００が備えるネットワークインターフェースの機能により実現される。また、個別電力情報取得部１０６の機能は、例えば、クラウドサーバ５００が備えるＣＰＵ及びネットワークインターフェースが協働することにより実現される。
【００９４】
或いは、例えば、端末装置６００を上記制御装置１００として機能させることができる。この場合、端末装置６００は、機能的には、電力値取得部１０１、上限値設定部１０２を備える制御部１０３、相判別部１０４、受信部１０５、個別電力情報取得部１０６を備える。この場合、電力値取得部１０１の機能は、例えば、端末装置６００が備えるＣＰＵ及びネットワークインターフェースが協働することにより実現される。また、上限値設定部１０２の機能は、例えば、端末装置６００が備えるＣＰＵ及びネットワークインターフェースが協働することにより実現される。また、制御部１０３の機能は、例えば、端末装置６００が備えるＣＰＵ及びネットワークインターフェースが協働することにより実現される。
【００９５】
また、相判別部１０４の機能は、例えば、端末装置６００が備えるＣＰＵが、端末装置６００が備えるＲＯＭに記憶されたプログラムを実行することにより実現される。また、受信部１０５の機能は、例えば、端末装置６００が備えるネットワークインターフェースの機能により実現される。また、個別電力情報取得部１０６の機能は、例えば、端末装置６００が備えるＣＰＵ及びネットワークインターフェースが協働することにより実現される。
【００９６】
或いは、電力値取得部１０１、上限値設定部１０２、制御部１０３、相判別部１０４、受信部１０５、個別電力情報取得部１０６などの機能は、宅内ネットワーク７１０や宅外ネットワーク７２０を介して、制御装置１００とクラウドサーバ５００と端末装置６００とが協働することにより実現されてもよい。
【００９７】
本発明に係る制御装置１００の動作を規定する動作プログラムを既存のパーソナルコンピュータや情報端末装置に適用することで、当該パーソナルコンピュータ等を本発明に係る制御装置１００として機能させることも可能である。
【００９８】
また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、インターネットなどの通信ネットワークを介して配布してもよい。
【００９９】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【０１００】
本発明は、電気機器を制御する制御システムに適用可能である。
【符号の説明】
【０１０１】
Ｌ１，Ｌ２，Ｌ３  電線、１１  ＣＰＵ、１２  ＲＯＭ、１３  ＲＡＭ、１４  フラッシュメモリ、１５  ＲＴＣ、１６  タッチスクリーン、１７  ネットワークインターフェース、１００  制御装置、１０１  電力値取得部、１０２  上限値設定部、１０３  制御部、１０４  相判別部、１０５  受信部、１０６  個別電力情報取得部、２００  漏電ブレーカ、２１０，２２０，２３０  分岐ブレーカ、３００  計測装置、３０１，３０２  電流センサ、４０１，４０２，４０３，４０４，４０５  電気機器、５００  クラウドサーバ、６００  端末装置、７１０  宅内ネットワーク、７２０  宅外ネットワーク、１０００  ＨＥＭＳシステム
【図１】
2016147411.tif 000003
【図２】
2016147411.tif 000004
【図３】
2016147411.tif 000005
【図４】
2016147411.tif 000006
【図５】
2016147411.tif 000007
【図６】
2016147411.tif 000008
【図７】
2016147411.tif 000009
【図８】
2016147411.tif 000010
【図９】
2016147411.tif 000011
【図１０】
2016147411.tif 000012
【図１１】
2016147411.tif 000013
【図１２】
2016147411.tif 000014
【手続補正書】
【提出日】平成29年5月19日(2017.5.19)
【手続補正１】
【補正対象書類名】明細書
【補正対象項目名】０００７
【補正方法】変更
【補正の内容】
【０００７】
上記目的を達成するために、本発明に係る制御装置は、
単相三線式の電源系統における第１相と第２相とのうちの前記第１相から、現在の消費電力から消費電力の上限までの余力電力の値が取得される第１機器を含む複数の電気機器に供給されている電力の合計値である第１電力値を取得する電力値取得部と、
前記第２相のみから前記第１機器に電力が供給されると判別されず、前記第１機器に関して取得された余力電力のうち前記第２相から供給されると判別されない余力電力の値と前記第１電力値との合計値である第１合計値が閾値を超える場合、前記第１機器の消費電力の上限の値を低下させて前記第１機器を制御する制御部と、を備える。
【手続補正２】
【補正対象書類名】明細書
【補正対象項目名】０００８
【補正方法】変更
【補正の内容】
【０００８】
本発明では、第２相のみから第１機器に電力が供給されると判別されず、第１機器に関して取得された余力電力のうち第２相から供給されると判別されない余力電力の値と第１電力値との合計値である第１合計値が閾値を超える場合、第１機器の消費電力の上限の値を低下させて第１機器を制御する。従って、本発明によれば、電気機器の消費電力を効率的に抑制することができる。
【手続補正３】
【補正対象書類名】特許請求の範囲
【補正対象項目名】全文
【補正方法】変更
【補正の内容】
【特許請求の範囲】
【請求項１】
単相三線式の電源系統における第１相と第２相とのうちの前記第１相から、現在の消費電力から消費電力の上限までの余力電力の値が取得される第１機器を含む複数の電気機器に供給されている電力の合計値である第１電力値を取得する電力値取得部と、
前記第２相のみから前記第１機器に電力が供給されると判別されず、前記第１機器に関して取得された余力電力のうち前記第２相から供給されると判別されない余力電力の値と前記第１電力値との合計値である第１合計値が閾値を超える場合、前記第１機器の消費電力の上限の値を低下させて前記第１機器を制御する制御部と、を備える、
制御装置。
【請求項２】
前記電力値取得部は、前記第２相から前記複数の電気機器に供給されている電力の合計値である第２電力値を更に取得し、
前記制御部は、前記第１機器の消費電力が変化するように前記第１機器を制御し、
前記制御部により前記第１機器が制御されたことに応答して前記電力値取得部により取得される第１電力値が変化した場合、前記第１機器に関して取得された余力電力が前記第１相から供給されると判別するとともに、前記制御部により前記第１機器が制御されたことに応答して前記電力値取得部により取得される第２電力値が変化した場合、前記第１機器に関して取得された余力電力が前記第２相から供給されると判別する相判別部を更に備える、
請求項１に記載の制御装置。
【請求項３】
前記制御部は、余力電力が同一の相から供給される複数の第１機器の消費電力の上限の値を低下させる場合、消費電力の最大定格値に対する消費電力の上限の値の割合が同じになるように、前記複数の第１機器の消費電力の上限の値を低下させる上限値設定部を備える、
請求項１又は２に記載の制御装置。
【請求項４】
前記制御部は、前記第１合計値が前記閾値を超え、前記第１機器である第２機器に関して取得された余力電力が前記第２相のみから供給されると判別されない場合、前記第２機器でない第１機器のうち余力電力が前記第２相のみから供給されると判別されない第１機器の消費電力の上限の値を低下させ、前記第１合計値が前記閾値以下にならない場合、更に、前記第２機器の消費電力の上限の値を低下させる上限値設定部を備える、
請求項１又は２に記載の制御装置。
【請求項５】
前記第１機器である第２機器が起動中であることを示す起動中信号を受信する受信部を更に備え、
前記制御部は、前記第１合計値が前記閾値を超え、前記第２機器に関して取得された余力電力が前記第２相のみから供給されると判別されず、前記受信部により前記起動中信号が受信された場合、前記第２機器の消費電力の上限の値として消費電力の上限の最大値を設定し、更に、前記第１合計値が前記閾値以下になるように、前記第２機器でない第１機器のうち余力電力が前記第２相のみから供給されると判別されない第１機器の消費電力の上限の値を低下させる上限値設定部を備える、
請求項１又は２に記載の制御装置。
【請求項６】
前記制御部は、前記電力値取得部により取得された第１電力値が前記閾値を超える他の閾値以上である場合、前記複数の電気機器のうち余力電力が前記第２相のみから供給されると判別されない全ての電気機器の消費電力の上限の値として消費電力の上限の最小値を設定する上限値設定部を備える、
請求項１から５のいずれか１項に記載の制御装置。
【請求項７】
前記制御部は、前記第２相のみから前記第１機器に電力が供給されると判別されず、前記第１電力値が前記閾値を超える他の閾値未満であり、前記第１合計値が前記閾値を超える場合、前記第１機器の消費電力の上限の値を低下させて前記第１機器を制御する、
請求項１から６のいずれか１項に記載の制御装置。
【請求項８】
前記電力値取得部は、前記第２相から前記複数の電気機器に供給されている電力の合計値である第２電力値を更に取得し、
前記制御部は、前記第２相のみから前記第１機器に電力が供給されると判別されず、前記第１合計値が前記閾値を超える場合、前記第１機器の消費電力の上限の値を低下させて前記第１機器を制御するとともに、前記第１相のみから前記第１機器に電力が供給されると判別されず、前記第１機器に関して取得された余力電力のうち前記第１相から供給されると判別されない余力電力の値と前記第２電力値との合計値である第２合計値が前記閾値を超える場合、前記第１機器の消費電力の上限の値を低下させて前記第１機器を制御する、
請求項１から７のいずれか１項に記載の制御装置。
【請求項９】
制御装置が実行する制御方法であって、
単相三線式の電源系統における第１相と第２相とのうちの前記第１相から、現在の消費電力から消費電力の上限までの余力電力の値が取得される第１機器を含む複数の電気機器に供給されている電力の合計値である第１電力値を計測し、
前記第２相のみから前記第１機器に電力が供給されると判別されず、前記第１機器に関して取得された余力電力のうち前記第２相から供給されると判別されない余力電力の値と前記第１電力値との合計値である第１合計値が閾値を超える場合、前記第１機器の消費電力の上限の値を低下させて前記第１機器を制御する、
制御方法。
【請求項１０】
コンピュータを、
単相三線式の電源系統における第１相と第２相とのうちの前記第１相から、現在の消費電力から消費電力の上限までの余力電力の値が取得される第１機器を含む複数の電気機器に供給されている電力の合計値である第１電力値を取得する電力値取得部、
前記第２相のみから前記第１機器に電力が供給されると判別されず、前記第１機器に関して取得された余力電力のうち前記第２相から供給されると判別されない余力電力の値と前記第１電力値との合計値である第１合計値が閾値を超える場合、前記第１機器の消費電力の上限の値を低下させて前記第１機器を制御する制御部、として機能させる、
プログラム。
【国際調査報告】
2016147411.tif 000015
2016147411.tif 000016